(57)【要約】【課題】従来のコンクリート製品に比し軽量で作業性がよく、製作が簡易であるとともに、通水機能や耐久性に優れ、またその点検清掃も簡単容易に効率よくしかも完全に行うことができる新規な排水溝水路の構造を提供する。【解決手段】底部１２が円形またはテーパ部に形成された流水筒部１１と、前記流水筒部１１の筒方向の両端部及び適宜間隔の中間部に円周方向に突設された取付鍔部２０と、前記流水筒部１１上部の開口部１３を介して一体に立設された上溝部１５と、前記上溝部１５に取付けられた蓋部材３０とからなることを特徴とする。【選択図】図１
2005320767.tif 000002
【特許請求の範囲】
【請求項１】
底部が円形またはテーパ部に形成された流水筒部と、
前記流水筒部の筒方向の両端部及び適宜間隔の中間部に円周方向に突設された取付鍔部と、
前記流水筒部上部の開口部を介して一体に立設された上溝部と、
前記上溝部に取付けられた蓋部材
とからなることを特徴とする排水溝水路。
【請求項２】
前記流水筒部が円筒形状である請求項１に記載の排水溝水路。
【請求項３】
前記流水筒部が本体部と分離可能な平板状の上板部を有し、該上板部に前記上溝部が形成されてなる請求項１に記載の排水溝水路。
【請求項４】
前記蓋部材が前記上溝部に着脱自在に取付けられている請求項１ないし３のいずれか１項に記載の排水溝水路。
【発明の詳細な説明】
【技術分野】
【０００１】
本発明は、道路や駐車場等に設置される排水溝水路に関し、特には透水性アスファルト等からなる路面に埋設される金属製の排水溝水路に関する。
【背景技術】
【０００２】
近年、道路等の路面表面の水はけ性をよくするために、透水性のあるアスファルト等で形成した透水性舗装が多用されている。このような透水性舗装にあっては、路面の雨水等は路面上面を流れるとともに舗装部内に浸透して、排水溝水路に集水されて排水される。
【０００３】
従来のこの種排水溝水路の構造としては、コンクリート製の排水溝本体を路面に敷設して、路面表面から雨水等を集水すると同時に、透水性舗装部内に浸透した水を導入することができる構造が提案されている（例えば、特許文献１参照）。この排水溝構造は、コンクリート製の排水溝本体を透水性舗装部の端部の縁石ブロックの内側に沿って配置し、開口側の上面が舗装部の路面高さとなるよう埋設したものである。また、排水溝本体には、透水性舗装路の端部が敷設される受容段部を有し、該受容段部に集水可能なスリットを設けて、透水性舗装部内に滲み込む雨水等を集水するように構成されている。
【０００４】
ところで、この種排水溝水路にあっては、その通水路に落ち葉や土砂、ゴミ等が入り込み堆積することが避けられず、長期間の使用に伴い排水性が悪くなる嫌いがある。しかしながら、従来多用されているコンクリート製品よりなる排水溝水路にあっては、通水路を点検清掃のために開放することが不可能か又は困難であるために、清掃に際しては、所定の場所からホース等で水を流し込みその勢いで通水路の土砂等を強制的に押し流すようにするしかない。しかるに、ホース等の水の勢いで通水路中の土砂等を完全に除去することは難しく、効率的に限界がある。また、その清掃作業も煩雑である。
【０００５】
一方において、従来の排水溝水路は、上のようにコンクリート製品が主流となっているのであるが、この種コンクリート製品にあっては、重量が嵩み、運搬や現場での施工作業が煩雑となる一方において、修理や交換などに際しても大がかりな土木工事を必要とし、工期やコスト等の面において問題があった。
【特許文献１】特許第２８４９３４７号公報
【発明の開示】
【発明が解決しようとする課題】
【０００６】
本発明は前記の点に鑑みなされたものであり、従来のコンクリート製品に比し軽量で作業性がよく、製作が簡易であるとともに、通水機能や耐久性に優れ、またその点検清掃も簡単容易に効率よくしかも完全に行うことができる新規な排水溝水路の構造を提供するものである。
【課題を解決するための手段】
【０００７】
すなわち、請求項１の発明は、底部が円形またはテーパ部に形成された流水筒部と、前記流水筒部の筒方向の両端部及び適宜間隔の中間部に円周方向に突設された取付鍔部と、前記流水筒部上部の開口部を介して一体に立設された上溝部と、前記上溝部に取付けられた蓋部材とからなることを特徴とする排水溝水路に係る。
【０００８】
請求項２の発明は、前記流水筒部が円筒形状である請求項１に記載の排水溝水路に係る。
【０００９】
請求項３の発明は、前記流水筒部が本体部と分離可能な平板状の上板部を有し、該上板部に前記上溝部が形成されてなる請求項１に記載の排水溝水路に係る。
【００１０】
請求項４の発明は、前記蓋部材が前記上溝部に着脱自在に取付けられている請求項１ないし３のいずれか１項に記載の排水溝水路に係る。
【発明の効果】
【００１１】
請求項１の発明によれば、底部が円形またはテーパ部に形成された流水筒部と、前記流水筒部の筒方向の両端部及び適宜間隔の中間部に円周方向に突設された取付鍔部と、前記流水筒部上部の開口部を介して一体に立設された上溝部と、前記上溝部に取付けられた蓋部材とからなるため、路面表面及び内部の水を効果的かつ効率よく流水筒部内に集水することができ、通水機能に優れる。また、この構造にあっては、金属板を加工した金属製であるために、流水筒部の形成を含め加工が容易であるばかりでなく、耐久性に優れ、従来のコンクリート製品に比して軽量で、現場での作業性も大幅に簡略化でき、工期も短縮することができる。
【００１２】
請求項２の発明によれば、請求項１において、前記流水筒部が円筒形状であるため、該流水筒部に集水された雨水等をより効率よく排水することができる。
【００１３】
請求項３の発明によれば、請求項１において、前記流水筒部が本体部と分離可能な平板状の上板部を有し、該上板部に前記上溝部が形成されてなることによって、前記流水筒部を分割して軽量に扱うことができるため、流水筒部の製作がより簡易になるとともに少人数でも施工を容易に行うことができ、極めて作業性がよい。
【００１４】
請求項４の発明によれば、請求項１ないし３のいずれか１項において、前記蓋部材が前記上溝部に着脱自在に取付けられているため、前記上溝部の清掃時には該蓋部材を取り外してブラシ等の清掃具を使用してゴミや土砂の除去を行うことができ、その点検清掃が簡単容易に効率よくしかも完全に行うことができる。さらに、万一、当該排水溝水路の蓋部材が変形、破損した場合にも、簡単に交換することができる。
【発明を実施するための最良の形態】
【００１５】
以下添付の図面に従ってこの発明を詳細に説明する。
図１はこの発明の一実施例に係る排水溝水路の構造を示す斜視図、図２は同排水溝水路の構造を示す断面図、図３は蓋部材の一実施例を示す斜視図、図４はバネクリップの斜視図、図５は蓋部材の他の取付け構造の断面図、図６は他の実施例に係る排水溝水路の構造を示す斜視図、図７は図６の排水溝水路の構造を示す断面図である。
【００１６】
図１及び図２に示したように、この発明の排水溝水路１０は、流水筒部１１と、取付鍔部２０と、蓋部材３０とからなる。図２において、符号Ｒは透水性舗装部で、Ｒ１は透水層、Ｒ２は基層、Ｍは土層、Ｂは縁石ブロックを表す。
【００１７】
流水筒部１１は、鋼板等の金属板を枠体として、底部１２を円形またはテーパ部に形成してなり、土中内部に埋設される部位で、後記する蓋部材３０や各透水孔等から集水した雨水等を、適宜の配水管等へ排水する。この流水筒部１１には、その上部の開口部１３を介して上溝部１５が一体に立設されている。上溝部１５は、溝壁部１５Ａによって囲まれてなるもので、上部が路面（透水性舗装部Ｒ）表面に現出するように構成される。また、この流水筒部１１は、請求項２の発明として規定したように、円筒形状に形成することが好ましい。流水筒部１１を円筒形状に形成することにより、集水した雨水等をより効率よく排水することができる。符号１４は流水筒部１１の本体部、１９は溝壁部１５Ａに設けられた透水孔である。
【００１８】
取付鍔部２０は、前記流水筒部１１の筒方向の両端部及び適宜間隔の中間部に円周方向に突設される。この取付鍔部２０は、同様の排水溝水路１０を筒方向に連接する場合に、他の排水溝水路１０の一方の端部に設けられた取付鍔部２０によって固定し連接する。この取付鍔部２０は金属板からなり、他の排水溝水路１０の取付鍔部２０とを係合することによって、ずれやがたつきなく連続した通水路を確保することができる。符号２５は排水溝水路１０を適宜の設置場所に固定する取付固定部材である。
【００１９】
蓋部材３０は、当該排水溝水路１０の上溝部１５内に落ち葉やゴミ等が進入しないように、前記上溝部１５に取付けられたものである。この実施例において、該蓋部材３０は、図１ないし図３に示すように、側板部３３が上溝部１５の載置部１７に当接し、上溝部１５の溝方向に並設された主部材３１と該主部材３１に直交する補強部材３２とからなる格子状に構成される。また、主部材３１は断面Ｉ字状のもので、補強部材３２はねじり鋼とよばれるものが使用されている。さらに、前記側板部３３には上溝部１５の溝壁部１５Ａに形成された透水孔１９に対応する位置に透水部３４が形成されているのが好ましい。なお、該蓋部材３０では、この例に限らず他の構造を採用してもよい。
【００２０】
この排水溝水路１０においては、請求項３の発明として規定したように、流水筒部１１に本体部１４と分離可能な平板状の上板部１６を設け、該上板部１６に上溝部１５を形成することが好ましい。実施例では、上板部１６に上溝部１５の溝壁部１５Ａが一体に形成され、ボルトからなる固定部材１８によって本体部１４に分離可能に固定されている。これにより、流水筒部１１を分割して軽量に扱うことができるため、少人数でも施工を容易に行うことが可能となる。
【００２１】
また、当該排水溝水路１０では、請求項４の発明として規定したように、蓋部材３０を上溝部１５に着脱自在に取付けるようにすることが好ましい。実施例では、蓋部材３０がバネクリップ４０を介して溝壁部１５Ａに嵌着されている。バネクリップ４０は、図３及び図４からよく理解されるように、該蓋部材３０の側板部３３への嵌着部４１と溝壁部１５Ａの内側に圧接するバネ片４２を有する。このバネクリップ４０は、蓋部材３０と透水孔１９が形成された上溝部１５の溝壁部１５Ａとの間に通水のための一定の間隙を形成しつつ、かつ両者を弾性的に圧嵌してがたつきなく保持することができる。また、該蓋部材３０は、図５に図示のように、蓋部材３０の側板部３３に設けられた固定板３６を介してボルト等の固定部材３５によって流水筒部１１に着脱自在に取り付けるように構成してもよい。図５において、符号１１Ａは流水筒部１１に設けられた蓋取付板である。
【００２２】
なお、本発明の排水溝水路１０は、上記の実施例に限定されるものではなく、例えば図６及び図７に示すような断面略Ｕ字形状の流水筒部５１からなる排水溝水路５０に適用することもできる。図において、符号５２は流水筒部５１の底部、５３は流水筒部５１上部の開口部、５４は流水筒部５１の本体部、５６は流水筒部５１の上板部、５８は上板部５６の固定部材、５９は上板部５６に形成された透水孔である。また、排水溝水路５０において、前述の排水溝水路１０と同一符号の部材は、該排水溝水路１０と同様に構成される。このように構成された排水溝水路５０であっても、前記排水溝水路１０と同様の効果を奏することが可能である。
【図面の簡単な説明】
【００２３】
【図１】この発明の一実施例に係る排水溝水路の構造を示す斜視図である。
【図２】同排水溝水路の構造を示す断面図である。
【図３】蓋部材の一実施例を示す斜視図である。
【図４】バネクリップの斜視図である。
【図５】蓋部材の他の取付け構造の断面図である。
【図６】他の実施例に係る排水溝水路の構造を示す斜視図である。
【図７】図６の排水溝水路の構造を示す断面図である。
【符号の説明】
【００２４】
１０  排水溝水路
１１  流水筒部
１２  底部
１３  開口部
１４  本体部
１５  上溝部
１６  上板部
２０  取付鍔部
３０  蓋部材
４０  バネクリップ
【図１】
2005320767.tif 000003
【図２】
2005320767.tif 000004
【図３】
2005320767.tif 000005
【図４】
2005320767.tif 000006
【図５】
2005320767.tif 000007
【図６】
2005320767.tif 000008
【図７】
2005320767.tif 000009